(57)【要約】      （修正有）【課題】改良されたデッキチェア調整構造を提供する。【解決手段】足踏みプレート４が設けられた着座部１の後端部に配設されたシートバックと、着座部の左右に配設された一対のアームレスト３と、着座部の下方に配設されたベースフレーム５とからなるデッキチェアであって、ベースフレーム５の後端部に、油圧シリンダ５１及び双コンロッド座５２の一端が枢着されてなり、双コンロッド座５２の前端部上方および着座部の下面に固着された回動レバー１１が、それぞれ油圧棒先端部に連動可能に枢着されており、双コンロッド座５２の前端部には後方へ伸張するアームレスト３の底端部が固定されたステーが設けてあり、足踏みプレートの両側には鋏式リンクが設けられ、鋏式リンクの両モーメントアームが、それぞれ、着座部とアームレストの側端部に固定されてなる。【選択図】図６
0003138219.tif 000002
【実用新案登録請求の範囲】
【請求項１】
足踏みプレートが設けられた着座部と、該着座部の後端部に配設されたシートバックと、前記着座部の左右に配設された一対のアームレストと、前記着座部の下方に配設されたベースフレームとからなるデッキチェアであって、
前記ベースフレームの後端部に、油圧シリンダ及び双コンロッド座の一端が枢着されてなり、該双コンロッド座の前端部上方および着座部の下面に固着された回動レバーが、それぞれ油圧棒先端部に連動可能に枢着されており、前記双コンロッド座の前端部には後方へ伸張するアームレストの底端部が固定されたステーが設けてあり、前記足踏みプレートの両側には鋏式リンクが設けられ、該鋏式リンクの両モーメントアームが、それぞれ、着座部とアームレストの側端部に固定されてなり、前記両モーメントアームの後方がＴ字形連結棒により、シートバックの側方下端部に連結されるようになっていることを特徴とするデッキチェア調整構造。
【考案の詳細な説明】
【技術分野】
【０００１】
本考案は、足踏みプレートが設けられた着座部と、該着座部の後端部に配設されたシートバックと、前記着座部の左右に配設された一対のアームレストと、前記着座部の下方に配設されたベースフレームとからなるデッキチェア調整構造に関するものであって、特に、前記ベースフレームの後端部に、油圧シリンダ及び双コンロッド座の一端が枢着されてなり、該双コンロッド座の前端部上方および着座部の下面に配設された回動レバーが、それぞれ油圧棒先端ぶに連動可能に枢着されており、前記双コンロッド座の前端部には後方へ伸張するアームレストの底端部が固定されたステーが設けてあり、前記足踏みプレートの両側には鋏式リンクが設けられ、該鋏式リンクの両モーメントアームが、それぞれ、着座部とアームレストの側端部に固定されてなり、前記両モーメントアームの後方がＴ字形連結棒により、シートバックの側方下端部に連結されるようになっているデッキチェア調整構造に関するものである。
【背景技術】
【０００２】
従来のデッキチェアは、設計上、如何に便利に着座して、且つすわり心地が良いかどうかを重要視している。しかるに、ユーザーがデッキチェアから立ち上がる時、または座り込む時に、如何にユーザーが迅速且つ楽に使用することができるかどうかについての改良がなされていない。
【０００３】
従来のデッキチェアは上記の問題を全く考慮していないため、老人が気軽に使用してその快適性を楽しむということができない。
即ち、デッキチェアに座り込んでから立ち上がる時には、大変な苦労を要する。老人は行動が鈍く、平衡感覚も悪いため、デッキチェアからの立ち上がりを嫌って、デッキチェアを利用することを拒絶するようになっており、既存のデッキチェアは、設計機能が完璧とはいえない。
【考案の開示】
【考案が解決しようとする課題】
【０００４】
本考案は、老人であっても、デッキチェアの使用後に、楽に且つすばやく立ち上がりを可能とした改良されたデッキチェア調整構造を提供する。
【課題を解決するための手段】
【０００５】
本考案は、足踏みプレートが設けられた着座部と、該着座部の後端部に配設されたシートバックと、前記着座部の左右に配設された一対のアームレストと、前記着座部の下方に配設されたベースフレームとからなるデッキチェアであって、前記ベースフレームの後端部に、油圧シリンダ及び双コンロッド座の一端が枢着されてなり、該双コンロッド座の前端部上方および着座部の下面に配設された回動レバーが、それぞれ油圧棒先端部に連動可能に枢着されており、前記双コンロッド座の前端部には後方へ伸張するアームレストの底端部が固定されたステーが設けてあり、前記足踏みプレートの両側には鋏式リンクが設けられ、該鋏式リンクの両モーメントアームが、それぞれ着座部とアームレストの側端部に固定されてなり、前記両モーメントアームの後方がＴ字形連結棒により、シートバックの側方下端部に連結されるようになっていることを特徴とする。
【考案の効果】
【０００６】
本考案に係るデッキチェア調整構造は、特に、前記ベースフレームの後端部に、油圧シリンダ及び双コンロッド座の一端が枢着されてなり、該双コンロッド座の前端部上方および着座部の下面に配設された回動レバーが、それぞれ油圧棒先端部に連動可能に枢着されており、前記双コンロッド座の前端部には後方へ伸張するアームレストの底端部が固定されたステーが設けてあり、前記足踏みプレートの両側には鋏式リンクが設けられ、該鋏式リンクの両モーメントアームが、それぞれ、着座部とアームレストの側端部に固定されてなり、前記両モーメントアームの後方がＴ字形連結棒により、シートバックの側方下端部に連結されるように構成したので、着座部、シートバック、アームレストを傾倒可能に調整できるので、使用者が老人であっても、デッキチェアの使用後に、楽に且つすばやく立ち上がりを可能とする効果がある。
【考案を実施するための最良の形態】
【０００７】
以下、本考案に係るデッキチェア調整構造の一実施例について図面と共に詳細に説明する。
【実施例】
【０００８】
図１は本考案のデッキチェア調整構造の一実施例を示すシートバック部を有するデッキチェアの全体斜視図で、図２は図１の着座部の裏面側のベース部に配設された駆動機構を示す斜視図、図３は図１の着座部の側面側に配設されたリンク機構を示す斜視図、図４はリンク機構の斜視図、図５はリンク機構の駆動状態を示す側面図、図６はデッキチェアの使用状態を示す概略図である。
【０００９】
図中、１０はデッキチェアで、該デッキチェア１０は、足踏みプレート４が設けられた着座部１と、該着座部１の後端部に配設されたシートバック２と、前記着座部１の左右に配設された一対のアームレスト３，３と、前記着座部１の下方に配設されたベースフレーム５とから構成されている。
【００１０】
前記ベースフレーム５の後端部側には、図２に示すようにそれぞれ、駆動機構である油圧シリンダ５１と双コンロッド座５２の一端が枢着されている。
前記双コンロッド座５２の前端部と着座部１下面に固着された回動レバー１１が、それぞれ油圧棒５１１の先端部に連動可能に連結されている。また、双コンロッド座５２には、アームレスト３の底端部が固定されたステー５２１が設けてある。また、足踏みプレート４の両側にはリンク機構である鋏式リンク４１が設けられ（図３、図４参照。）、該鋏式リンク４１の両モーメントアーム４２が、それぞれ、着座部１とアームレスト３の下端部に固定されている。また、両モーメントアーム４２の後方が、Ｔ字形連結棒４３により、シートバック２の側方か端部に連結されている。
【００１１】
上記構成により、通常、油圧棒５１１が縮む時には、ステー５２１がアームレスト３が下方へ変位することに伴い、下方へ変位し（双コンロッド座５２の前端が、油圧棒５１１の伸縮に伴い、上下へ変位する）、着座部１が後方へ引っ張られる。即ち、油圧棒５１１が縮むと、回動レバー１１を介して、着座部１を後方へ引っ張る力が発生する。
この時、シートバック２が、Ｔ字形連結棒４１の変位により、後方側に倒れる。この時点では、両モーメントアーム４２間の距離が長くなり、鋏式リンク４１が押し出される。
【００１２】
本考案においては、図５に示すように、両モーメントアーム４２が開くことにより鋏式リンク４１を伸張させるように制御する設計を利用している。そのため、足踏みプレート４が、上方へ回転するように押し出され、これにより、デッキチェア１０が完全に展開され、後方へ倒れた状態になる。したがって、ユーザーが、気楽にデッキチェア１０で休憩でき、デッキチェア１０のリラックスと快適を楽しめる（図６参照）。
【００１３】
逆に、油圧棒５１１が押し出されると、着座部１が連動されて前方へ押され、アームレスト３も上方へ復位し、更にシートバック２の角度も、起立状態に変更して、元の普通の座り姿勢に戻る。また、足踏みプレート４も、両モーメントアーム４２の距離が短く縮まるため、鋏式リンク４１が縮み、デッキチェア１０全体が普通の座り姿勢状態になる。
【００１４】
また、油圧シリンダ５１の油圧棒５１１が、最大まで延びる過程において、双コンロッド座５２の前端部が、連動的に油圧棒５１１に枢着されているため、双コンロッド座５２の前端部が、油圧棒５１１の伸張とともに、上方へ持ち上げられて、角度を変更して前へ傾くようになる。そのため、ステー５２１に固定されたアームレスト３が、持ち上げられて前方へ傾く、この過程において、着座部１とシートバック２は、モーメントアーム４２とＴ字形連結棒４３を介して、アームレスト３と連結される。また、着座部１の回動レバー１１と油圧棒５１１とが、連動可能に枢着されるため、着座部１とシートバック２とは、アームレスト３とともに、上昇されて前方へ傾くため、デッキチェア１０全体が、持ち上げられて前方へ傾く。
【００１５】
上記の状態で、ユーザーは、力を使わなくても立ちあがることができ、体が不自由な老人でも、安心してデッキチェア１０を使用できる。
【図面の簡単な説明】
【００１６】
【図１】本考案のデッキチェア調整構造の一実施例を示すシートバック部を有するデッキチェアの全体斜視図、
【図２】図１の着座部の裏面側のベース部に配設された駆動機構を示す斜視図、
【図３】図１の着座部の側面側に配設されたリンク機構を示す斜視図、
【図４】リンク機構の斜視図、
【図５】リンク機構の駆動状態を示す側面図、
【図６】デッキチェアの使用状態を示す概略図である。
【符号の説明】
【００１７】
１      着座部
１０    デッキチェア
１１    回動レバー
２      シートバック
３      アームレスト
４      足踏みプレート
４１    鋏式リンク（リンク機構）
４２    モーメントアーム
４３    Ｔ字形連結棒
５      ベースフレーム
５１    油圧シリンダ（駆動機構）
５１１  油圧棒
５２    双コンロッド座
５２１  ステー
【図１】
0003138219.tif 000003
【図２】
0003138219.tif 000004
【図３】
0003138219.tif 000005
【図４】
0003138219.tif 000006
【図５】
0003138219.tif 000007
【図６】
0003138219.tif 000008
【手続補正書】
【提出日】平成19年10月12日(2007.10.12)
【手続補正１】
【補正対象書類名】実用新案登録請求の範囲
【補正対象項目名】全文
【補正方法】変更
【補正の内容】
【実用新案登録請求の範囲】
【請求項１】
足踏みプレートが設けられた着座部と、該着座部の後端部に配設されたシートバックと、前記着座部の左右に配設された一対のアームレストと、前記着座部の下方に配設されたベースフレームとからなるデッキチェア調整構造であって、
前記ベースフレームの後端部に、油圧シリンダ及び双コンロッド座の一端が枢着されてなり、該双コンロッド座の前端部上方および着座部の下面に固着された回動レバーが、それぞれ油圧棒先端部に連動可能に枢着されており、前記双コンロッド座の前端部には後方へ伸張するアームレストの底端部が固定されたステーが設けてあり、前記足踏みプレートの両側には鋏式リンクが設けられ、該鋏式リンクの両モーメントアームが、それぞれ、着座部とアームレストの側端部に固定されてなり、前記両モーメントアームの後方がＴ字形連結棒により、シートバックの側方下端部に連結されるようになっていることを特徴とするデッキチェア調整構造。
【手続補正２】
【補正対象書類名】明細書
【補正対象項目名】０００５
【補正方法】変更
【補正の内容】
【０００５】
本考案は、足踏みプレートが設けられた着座部と、該着座部の後端部に配設されたシートバックと、前記着座部の左右に配設された一対のアームレストと、前記着座部の下方に配設されたベースフレームとからなるデッキチェア調整構造であって、前記ベースフレームの後端部に、油圧シリンダ及び双コンロッド座の一端が枢着されてなり、該双コンロッド座の前端部上方および着座部の下面に配設された回動レバーが、それぞれ油圧棒先端部に連動可能に枢着されており、前記双コンロッド座の前端部には後方へ伸張するアームレストの底端部が固定されたステーが設けてあり、前記足踏みプレートの両側には鋏式リンクが設けられ、該鋏式リンクの両モーメントアームが、それぞれ着座部とアームレストの側端部に固定されてなり、前記両モーメントアームの後方がＴ字形連結棒により、シートバックの側方下端部に連結されるようになっていることを特徴とする。